(57)【要約】      （修正有）【課題】長手縁部が鋭く折られて丸められていない煙草パケットを得ることができる、特に軟らかい煙草パケットを作製するために使用される包装材料のシートを処理するためのユニットを提供する。【解決手段】容器を作製するために使用される包装材料のシート３′を処理するための処理ユニット７は、母線に沿って互いにほぼ接している、反転する少なくとも一対のエンボス加工ローラ９，１０を備える。一対のエンボス加工ローラの中の第１のエンボス加工ローラは、容器を作製するために包装材料のシート３′をそれに沿って折らなければならない折り目の寸法及び形状を再生する複数の突起部を有し、一対のエンボス加工ローラの中の第２のエンボス加工ローラは、ウェブ８において折り目線を設けるべく、第１のエンボス加工ローラと作用する溝部を有し、処理ユニットは、ウェブから連続して包装材料のシートを切断するように設けられている切断装置１４をさらに備えている。【選択図】図３
0003175266.tif 000002
【実用新案登録請求の範囲】
【請求項１】
容器を作製するために使用される包装材料のシートを処理するための処理ユニットにおいて、
前記処理ユニットは、母線に沿って互いにほぼ接している、反転する少なくとも一対のエンボス加工ローラ（９、１０）を備え、
前記一対のエンボス加工ローラ（９、１０）の中の第１のエンボス加工ローラは、前記容器を作製するために包装材料のシート（３´）をそれに沿って折らなければならない折り目の寸法及び形状を再生する複数の突起部を有し、
前記一対のエンボス加工ローラ（９、１０）の中の第２のエンボス加工ローラは、ウェブ（８）において前記折り目線（６）を設けるべく、前記第１のエンボス加工ローラと作用する溝部を有し、
前記処理ユニットは、前記ウェブ（８）から連続して包装材料の前記シート（３´）を切断するように設けられている切断装置（４）をさらに備えていることを特徴とする処理ユニット。
【請求項２】
前記一対のエンボス加工ローラ（９、１０）の中の前記第２のエンボス加工ローラは、前記第１のエンボス加工ローラの前記突出部と係合することができる複数の溝部を有し、使用中において、前記一対のエンボス加工ローラ（９、１０）の前記複数の溝部と、適合する前記複数の突出部が、実質的に、前記一対のエンボス加工ローラ（９、１０）の間で接触する領域において、循環して係合し、それにより、前記ウェブ（８）に前記折り目線（６）を設けることを特徴とする請求項１に記載の処理ユニット。
【請求項３】
包装材料の前記シート（３´）が、煙草パケット（１）の外側容器（３）を構成するように設計されていることを特徴とする請求項１又は２に記載の処理ユニット。
【請求項４】
前記一対のエンボス加工ローラ（９、１０）は、一つのエンボス加工ダイを用いて前記ウェブ（８）上でエンボス加工される印を変えるように、前記ウェブ（８）が解かれる時、前記一対のエンボス加工ローラ（９、１０）の回転速度を変えることができる電気駆動ユニットによって回転駆動されることを特徴とする請求項１〜３のいずれか１項に記載の処理ユニット。
【考案の詳細な説明】
【技術分野】
【０００１】
本考案は、容器を作製するために使用される包装材料のシートを処理するための処理ユニットに関するものである。
【０００２】
本考案は、有利的には煙草パケットの製造に適用することができる。本明細書において、煙草パケットの製造について以下に記載するが、本明細書の記載は、本考案の範囲を制限することはない。
【背景技術】
【０００３】
通常、軟らかい又は半剛性の煙草パケットは、通常はフォイル紙である包装材料の内側シート内に包装されている一群の煙草からなる内側包装部と、通常は紙で作られている包装材料のシート内で内側シート内に包装された一群の煙草を包装することによって作製される外側包装部とを備えている。
【０００４】
この種の煙草パケットは、しばしば、幾分丸い長手軸線方向の縁部を有し、縁部を可能な限り鋭くことが有利で好ましいと考えられる。
【考案の概要】
【考案が解決しようとする課題】
【０００５】
本考案の目的は、長手縁部が鋭く折られて丸められていない煙草パケットを得ることができる、特に軟らかい煙草パケットを作製するために使用される包装材料のシートを処理するための処理ユニットを提供することである。
【課題を解決するための手段】
【０００６】
本考案は、添付図面に示す包装材料のシートを処理するための処理ユニットを提供する。
【０００７】
本考案を制限しない実施例を示す添付図面を参照しつつ以下に本考案を説明する。
【図面の簡単な説明】
【０００８】
【図１】軟らかい煙草パケットの不等角投影図である。
【図２】図１の軟らかい煙草パケットの外側包装部を構成するシートの平面図である。
【図３】本考案によって包装材料のシートを処理するための処理ユニットの略正面図である。
【考案を実施するための形態】
【０００９】
図１の参照番号１は、全体として、矩形底面を有する平行六面体の形状である、閉鎖した軟らかい内側包装部２と、内側包装部２の対応の上側壁５へアクセスすることができる開放した上側端部４を有する外側包装部又は容器３と、を備えた、軟らかい煙草パケットを示している。
【００１０】
内側包装部２は、フォイル紙、積層プラスチック等で作られた内側包装材料のシートを、一群の煙草（図示せず）周りで折ることによって作製される。
【００１１】
特に図２に示すように、外側容器３は、複数の折り目線６を備えた外側包装材料のシート３´（図２において平面図で示す）を、内側包装部２周りで折ることによって作製されている。
【００１２】
図３において、参照番号７は、全体として、前述の軟らかいパケット１又は欧州特許出願第６３３２０２号に記載のタイプの半剛性パケット（図示せず）を製造するための装置（図示せず）において使用するのに適した包装材料のシートを処理するための処理ユニットを示している。
【００１３】
図示しないロールから解かれた包装材料の連続したウェブ８が処理ユニット７を通過する時、ウェブ８は、反転軸１１、１２によって母線に沿って互いにほぼ接して同軸に支持されている、図３のそれぞれ左側及び右側にある２つのエンボス加工ローラ９、１０の間で送られる。
【００１４】
エンボス加工ローラ９、１０の中の一方は、エンボス加工ダイを形成しかつ折り目線（エンボス加工される印）の寸法及び形状を再生する複数の突出部（図示せず）を有し、エンボス加工ローラ９、１０の中の他方は、突出部と循環的に係合する溝部（図示せず）を有するので、エンボス加工ローラ９、１０は、ウェブ８に、上述の折り目線６を設けるように設計されている。エンボス加工ローラ９、１０の溝部と、溝部と適合する突出部が、同一のエンボス加工ローラ９、１０の間で接触領域において係合し、それにより、ウェブ８において折り目線６（エンボス加工される印）を設ける。
【００１５】
本考案の変形例によれば、エンボス加工ローラ９、１０の中の一方は、折り目線の寸法及び形状を再生する突出部（図示せず）を備え、エンボス加工ローラ９、１０の中の他方は、滑らかであり、例えばゴム等の弾性材料で覆われている。
【００１６】
ウェブ８の送り方向に関してエンボス加工ローラ９、１０の下流において、全体として参照番号１４で示される、２つの回転ナイフ１５、１６を備えている切断装置が、図３のそれぞれ左側及び右側にある各軸１７、１８によって同軸に支持されている。２つの回転ナイフ１５、１６は反転し、２つの回転ナイフ１５、１６は、ウェブ８から連続して、折り目線６を備えたシート３´を切断するために、循環的に相互に接触する状態になるのに適した各刃１５´、１６´を備えている。
【００１７】
処理ユニット７及び切断装置１４によって処理されたシート３´は、とりわけ煙草パケット１からなる喫煙者の物品パックを作製するように、とりわけ煙草からなる喫煙者の物品群の周りで、折り目線６に沿って折られる。
【００１８】
好ましくは、包装材料のシート３´を形成する各部分において、ウェブ８上でエンボス加工される印を変えるように、ウェブ８が解かれる時、エンボス加工ローラ９、１０は、「電子カム」の作用によって複数のローラの回転速度を変えることができる電気駆動ユニットによって回転駆動される。
【００１９】
同じエンボスダイで異なる印を試すことができ、必要ならば、ダイを、一定の１対１の速度で回転するエンボス加工ローラ９、１０を用いるべく新しい修正されたダイに代えることができる。
【００２０】
語「電子カム」は、駆動ユニットを制御し、かつ、２つのエンボス加工ローラの回転速度を変えることができる電子装置を示す。
【００２１】
上述の処理ユニット７は、任意のタイプの包装材料に折り目線６を作り、それゆえ、上包みのために厚紙又は板紙の内側フレーム内において又は熱可塑性物質の包装材料のシート内において、押し上げ式の蓋の容器を作製するように、厚紙又は板紙の白紙において、内側包装部用のフォイル紙のシートにおいて折り目線を作ることができ有利的には用いることができるということを明記すべきである。
【００２２】
本考案の図示しない変形例によれば、処理ユニット７は、２つ以上の対のエンボス加工ローラを備えてもよく、各対は、予め定めた折り目線６を作るように設計されている。
【符号の説明】
【００２３】
１    軟らかい煙草パケット
２    内側包装部
３    外側包装部又は容器
３´    外側包装材料のシート
４    開放した上側端部
５    上側壁
６    複数の折り目線
７    包装材料のシートを処理するための処理ユニット
８    ウェブ
９    エンボス加工ローラ
１０    エンボス加工ローラ
１１    反転軸
１２    反転軸
１４    切断装置
１５    回転ナイフ
１５´    刃
１６    回転ナイフ
１６´    刃
１７    軸
１８    軸
【図１】
0003175266.tif 000003
【図２】
0003175266.tif 000004
【図３】
0003175266.tif 000005